(57)【要約】【課題】大型化を抑制しつつ、デフケースの強度を確保することができるデファレンシャル装置を提供する。【解決手段】駆動力が入力されるデフケース３と、このデフケース３に支承されて自転可能であると共にデフケース３の回転によって公転する差動ギヤ５と、この差動ギヤ５と噛み合って相対回転可能な一対の出力ギヤ７，９とを有する差動機構１１と、デフケース３と出力ギヤ９との間に設けられ差動機構１１の差動を断続する環状の断続部材１３とを備えたデファレンシャル装置１において、断続部材１３の内径側を、サイドギヤ９のボス部１５の外周に支持した。【選択図】図１
2014009747.tif 000002
【特許請求の範囲】
【請求項１】
駆動力が入力されるデフケースと、このデフケースに支承されて自転可能であると共に前記デフケースの回転によって公転する差動ギヤと、この差動ギヤと噛み合って相対回転可能な一対の出力ギヤとを有する差動機構と、前記デフケースと前記一対の出力ギヤのうちいずれか一方の出力ギヤとの間に設けられ前記差動機構の差動を断続する環状の断続部材とを備えたデファレンシャル装置であって、
前記断続部材は、内径側が前記一方の出力ギヤのボス部の外周に支持されていることを特徴とするデファレンシャル装置。
【請求項２】
請求項１記載のデファレンシャル装置であって、
前記デフケースは、前記断続部材の外径側の近傍に隅Ｒ部が設けられていることを特徴とするデファレンシャル装置。
【請求項３】
請求項２記載のデファレンシャル装置であって、
前記デフケースは、前記断続部材が配置された壁部を軸方向に貫通する軸方向孔と、この軸方向孔と連通され径方向に貫通する径方向孔とが設けられ、
前記隅Ｒ部は、前記軸方向孔を介して前記径方向孔に連通されていることを特徴とするデファレンシャル装置。
【請求項４】
請求項１乃至３のいずれか１項に記載のデファレンシャル装置であって、
前記一方の出力ギヤのボス部の外周には、前記断続部材を接続解除方向に付勢する付勢部材が支持されていることを特徴とするデファレンシャル装置。
【請求項５】
請求項１乃至４のいずれか１項に記載のデファレンシャル装置であって、
前記断続部材の外径側には、前記断続部材を補強する補強部が設けられていることを特徴とするデファレンシャル装置。
【請求項６】
請求項１乃至５のいずれか１項に記載のデファレンシャル装置であって、
前記デフケースの外周には、前記断続部材を断続操作する電磁石を有するアクチュエータが配置され、
前記デフケースには、前記電磁石の外径側を覆い前記電磁石の軸方向位置を位置決めする延設部が設けられていることを特徴とするデファレンシャル装置。
【請求項７】
請求項１乃至６のいずれか１項に記載のデファレンシャル装置であって、
前記断続部材は、前記デフケースと一体回転可能に係合される凸部と、この凸部から内径側に向けて傾斜する傾斜補強部とが設けられていることを特徴とするデファレンシャル装置。
【発明の詳細な説明】
【技術分野】
【０００１】
本発明は、車両に適用されるデファレンシャル装置に関する。
【背景技術】
【０００２】
従来、デファレンシャル装置としては、駆動力が入力されるデフケースと、このデフケースに支承されて自転可能であると共にデフケースの回転によって公転する差動ギヤとしてのピニオンと、このピニオンと噛み合って相対回転可能な一対の出力ギヤとしてのサイドギヤとを有する差動機構と、デフケースと一対のサイドギヤのうちいずれか一方のサイドギヤとの間に設けられ差動機構の差動を断続する環状の断続部材とを備えたものが知られている（例えば、特許文献１参照）。
【０００３】
このデファレンシャル装置では、断続部材の外径側がデフケースの内周面に形成された支持面に支持され、断続部材がデフケースに対して径方向に支持、すなわちセンタリングされている。
【先行技術文献】
【特許文献】
【０００４】
【特許文献１】特開２０１０−７８１３７号公報
【発明の概要】
【発明が解決しようとする課題】
【０００５】
ところで、上記特許文献１のようなデファレンシャル装置では、デフケースの断続部材の外径側の近傍が、例えば、鋭角な隅部であると、この隅部に応力が集中し易く、デフケースの強度が低下してしまう。
【０００６】
しかしながら、上記特許文献１のようなデファレンシャル装置では、断続部材が外径側で径方向に支持されているので、例えば、鋭角な隅部にＲ加工を施そうとしても、デフケースの断続部材を支持する支持面が不足する恐れがあり、断続部材の径方向支持とデフケースの強度確保とを両立させることが困難であった。
【０００７】
一方、上記特許文献１のようなデファレンシャル装置において、断続部材の径方向支持とデフケースの強度確保とを満足させるために、デフケースの断続部材を支持する支持面を大きくすることが考えられるが、デフケースが大型化してしまい、装置の大型化を引き起こしてしまう。
【０００８】
そこで、この発明は、大型化を抑制しつつ、デフケースの強度を確保することができるデファレンシャル装置の提供を目的としている。
【課題を解決するための手段】
【０００９】
本発明は、駆動力が入力されるデフケースと、このデフケースに支承されて自転可能であると共に前記デフケースの回転によって公転する差動ギヤと、この差動ギヤと噛み合って相対回転可能な一対の出力ギヤとを有する差動機構と、前記デフケースと前記一対の出力ギヤのうちいずれか一方の出力ギヤとの間に設けられ前記差動機構の差動を断続する環状の断続部材とを備えたデファレンシャル装置であって、前記断続部材は、内径側が前記一方の出力ギヤのボス部の外周に支持されていることを特徴とする。
【００１０】
このデファレンシャル装置では、断続部材の内径側が一方の出力ギヤのボス部の外周に支持されているので、デフケースに断続部材の支持面を形成させる必要がなく、デフケースが大型化することがない。
【００１１】
また、デフケースと断続部材の外径側との間は、断続部材の径方向支持に関与していないので、デフケースの隅部に対する設計の自由度を向上でき、デフケースの強度を確保することができる。
【００１２】
従って、このようなデファレンシャル装置では、断続部材が一方の出力ギヤのボス部の外周に径方向支持されているので、大型化を抑制しつつ、デフケースの強度を確保することができる。
【発明の効果】
【００１３】
本発明によれば、大型化を抑制しつつ、デフケースの強度を確保することができるデファレンシャル装置を提供することができるという効果を奏する。
【図面の簡単な説明】
【００１４】
【図１】本発明の実施の形態に係るデファレンシャル装置の断面図である。
【図２】本発明の実施の形態に係るデファレンシャル装置の分解断面図である。
【図３】（ａ）は本発明の実施の形態に係るデファレンシャル装置のサイドギヤの側面図である。（ｂ）は本発明の実施の形態に係るデファレンシャル装置の断続部材の側面図である。（ｃ）は本発明の実施の形態に係るデファレンシャル装置のデフケースの側面図である。
【発明を実施するための形態】
【００１５】
図１〜図３を用いて本発明の実施の形態に係るデファレンシャル装置について説明する。
【００１６】
本実施の形態に係るデファレンシャル装置１は、駆動力が入力されるデフケース３と、このデフケース３に支承されて自転可能であると共にデフケース３の回転によって公転する差動ギヤとしてのピニオン５と、このピニオン５と噛み合って相対回転可能な一対の出力ギヤとしてのサイドギヤ７，９とを有する差動機構１１と、デフケース３とサイドギヤ９との間に設けられ差動機構１１の差動を断続する環状の断続部材１３とを備えている。
【００１７】
そして、断続部材１３は、内径側がサイドギヤ９のボス部１５の外周に支持されている。
【００１８】
また、デフケース３は、断続部材１３の外径側の近傍に隅Ｒ部１７が設けられている。
【００１９】
さらに、デフケース３は、断続部材１３が配置された壁部１９を軸方向に貫通する軸方向孔２１と、この軸方向孔２１と連通され径方向に貫通する径方向孔２３とが設けられ、隅Ｒ部１７は、軸方向孔２１を介して径方向孔２３に連通されている。
【００２０】
また、サイドギヤ９のボス部１５の外周には、断続部材１３を接続解除方向に付勢する付勢部材２５が支持されている。
【００２１】
さらに、断続部材１３の外径側には、断続部材１３を補強する補強部２７が設けられている。
【００２２】
また、デフケース３の外周には、断続部材１３を断続操作する電磁石２９を有するアクチュエータ３１が配置され、デフケース３には、電磁石２９の外径側を覆い電磁石２９の軸方向位置を位置決めする延設部３３が設けられている。
【００２３】
さらに、断続部材１３は、デフケース３と一体回転可能に係合される凸部３５と、この凸部３５から内径側に向けて傾斜する傾斜補強部３７とが設けられている。
【００２４】
図１〜図３に示すように、デファレンシャル装置１は、差動機構１１と、断続機構３９と、アクチュエータ３１とを備えている。差動機構１１は、デフケース３と、ピニオンシャフト４１と、ピニオン５と、一対のサイドギヤ７，９とを備えている。
【００２５】
デフケース３は、軸方向両側に形成されたボス部４３，４５のそれぞれの外周でベアリング４７，４９を介してキャリアなどの静止系部材（不図示）に回転可能に支持され、カバー体５１とケース本体５３とからなる。また、デフケース３には、リングギヤ５５が固定されるフランジ部５７が形成され、リングギヤ５５が駆動力を伝達する動力伝達ギヤ（不図示）と噛み合い、駆動力が伝達されてデフケース３を回転駆動させる。
【００２６】
このフランジ部５７には、カバー体５１とケース本体５３との分割部が設けられ、この分割部の開口からケース本体５３内にピニオン５、一対のサイドギヤ７，９、断続部材１３などの各種部材を収容した後、リングギヤ５５を固定するボルト（不図示）によってケース本体５３とカバー体５１とが共締めされてケース本体５３の開口がカバー体５１によって閉塞される。このようなデフケース３には、ピニオンシャフト４１と、ピニオン５と、一対のサイドギヤ７，９と、断続部材１３とが収容配置されている。
【００２７】
ピニオンシャフト４１は、長尺の１つのピニオンシャフトと２つの短尺のピニオンシャフトとからなり、短尺のピニオンシャフトの外端部をデフケース３に係合してピン５９で抜け止め及び回り止めされ、同シャフトの内端部が長尺のピニオンシャフトの中間に設けられた孔に係合して長尺のピニオンシャフトの抜け止め及び回り止めがなされ、デフケース３と一体に回転駆動される。このピニオンシャフト４１には、ピニオン５が支承されている。
【００２８】
ピニオン５は、デフケース３の周方向等間隔に４つ配置される４ピニオンタイプとなっており、それぞれ長尺のピニオンシャフト４１の両端側と短尺の２つのピニオンシャフト４１の外端側に支承されてデフケース３の回転によって公転する。また、ピニオン５の背面側とデフケース３との径方向間には、ピニオン５の公転時に発生する径方向への移動を受ける球面ワッシャ６１が配置されている。
【００２９】
このピニオン５は、一対のサイドギヤ７，９に駆動力を伝達すると共に、噛み合っている一対のサイドギヤ７，９に差回転が生じると回転駆動されるようにピニオンシャフト４１に自転可能に支持されている。
【００３０】
一対のサイドギヤ７，９は、ボス部６３，１５でデフケース３に相対回転可能に径方向支持、すなわちセンタリングされ、ピニオン５と噛み合っている。また、サイドギヤ７，９とデフケース３との軸方向間には、ピニオン５との噛み合い反力によるサイドギヤ７，９の軸方向への移動を受けるスラストワッシャ６５，６７が配置されている。
【００３１】
この一対のサイドギヤ７，９は、内周側にスプライン形状の連結部６９，７１が設けられ、出力側の部材に連結された駆動軸７３，７５がサイドギヤ７，９と一体回転可能に連結され、デフケース３に入力された駆動力を出力側の部材へ出力する。なお、一対のサイドギヤ７，９は、連結部６９，７１に連結される駆動軸７３，７５に径方向支持させてセンタリングさせてもよい。
【００３２】
このような差動機構１１のデフケース３には、デフケース３とサイドギヤ９との間の差動を断続、詳細には差動機構１１の差動をロック又はアンロックする断続機構３９が収容されており、断続機構３９が接続されると、デフケース３とサイドギヤ９とが接続され、差動機構１１の差動がロック状態となる。この状態では、デフケース３に入力された駆動力が一対のサイドギヤ７，９に対して均等に出力される。このようなデファレンシャル装置１は、いわゆるデフロック機能を有するデファレンシャル装置となっている。
【００３３】
断続機構３９は、断続部材１３と、断続部７７とを備えている。断続部材１３は、基部７９と、補強部２７と、凸部３５と、傾斜補強部３７と、噛み合い歯８１とから構成されている。
【００３４】
基部７９は、環状に形成され、サイドギヤ９のボス部１５の外周側でサイドギヤ９の背面側とデフケース３の壁部１９との軸方向の間に軸方向移動可能に配置されている。この基部７９の内周面は、サイドギヤ９のボス部１５の外周支持面に対して径方向に支持され、断続部材１３がサイドギヤ９に対してセンタリングされている。
【００３５】
このようにデフケース３（或いは駆動軸７５）に対してセンタリングされたサイドギヤ９に対して断続部材１３をセンタリングすることにより、断続部材１３をデフケース３に径方向支持させなくとも、安定して断続部材１３を径方向支持することができる。また、デフケース３と断続部材１３の外径側との径方向間は、断続部材１３の径方向支持に関与していないので、デフケース３の内周及び断続部材１３の外径の設計の自由度を向上することができる。
【００３６】
一方、基部７９とサイドギヤ９の背面との軸方向間には、断続部材１３を断続部７７の接続解除方向に付勢する付勢部材２５が配置されている。この付勢部材２５は、サイドギヤ９のボス部１５の外周支持面に対して径方向に支持されている。このため、付勢部材２５も、断続部材１３と同様に、安定して径方向支持することができる。このような基部７９の外径側には、補強部２７が設けられている。
【００３７】
補強部２７は、基部７９の外径に基部７９と連続する一部材で形成されている。この補強部２７は、断続部材１３の外径側の肉厚を増加させて補強し、断続部材１３の剛性を向上させる。このような補強部２７が設けられた基部７９のデフケース３の壁部１９側には、環状に形成された基部７９から軸方向外方に向けて凸部３５が設けられている。
【００３８】
凸部３５は、基部７９の側面に基部７９と連続する一部材として周方向等間隔に複数（ここでは３つ）設けられている。この凸部３５は、デフケース３の壁部１９の回転方向間にデフケース３の内外を連通するように開口して設けられた複数（ここでは３つ）の軸方向孔２１に回転方向に係合されている。この凸部３５と軸方向孔２１との係合により、断続部材１３がデフケース３に回り止めされ、断続部材１３とデフケース３とが一体回転可能となる。
【００３９】
この凸部３５と軸方向孔２１との周方向の対向面には、同一傾斜のカム面が形成されている。このため、断続部材１３が断続部７７の接続方向に移動されたときに、デフケース３の回転によってカム面が係合することにより、断続部材１３をさらに断続部７７の噛み合い方向に移動させ、断続部７７の接続を強化させる。このような凸部３５と基部７９との間には、傾斜補強部３７が設けられている。
【００４０】
傾斜補強部３７は、凸部３５の先端側から基部７９の内径側に向けて傾斜する傾斜壁となっている。この傾斜補強部３７は、凸部３５の内径側の肉厚を増加させて補強し、軸方向孔２１と回転方向に係合する凸部３５の剛性を向上させる。加えて、全体として、断続部材１３の剛性を向上させる。
【００４１】
このような傾斜補強部３７の基部７９を軸方向に挟んだ反対側の基部７９の側面には、複数の噛み合い歯８１が設けられ、この噛み合い歯８１と軸方向に対向するサイドギヤ９の背面側には、複数の噛み合い歯８３が設けられ、これらの噛み合い歯８１，８３で断続部７７が構成されている。
【００４２】
断続部７７は、断続部材１３とサイドギヤ９の背面側との軸方向間に設けられ、断続部材１３とサイドギヤ９の背面側とにそれぞれ周方向に複数形成されて互いに噛み合う噛み合い歯８１，８３となっている。
【００４３】
この断続部７７が互いに噛み合うことにより、断続部材１３とサイドギヤ９とが一体回転可能に接続、すなわちデフケース３とサイドギヤ９とが一体回転可能に接続され、差動機構１１の差動がロック状態となる。このような断続部７７は、断続部材１３を移動操作するアクチュエータ３１によって制御可能に断続操作される。
【００４４】
アクチュエータ３１は、電磁石２９と、可動部材８５と、デフケース３の壁部１９とを備えている。電磁石２９は、デフケース３のボス部４５の外周側でデフケース３の壁部１９に対して軸方向に隣接配置されると共に、キャリアなどの静止系部材に対して回り止めされ、電磁コイル８７と、コア８９とを備えている。
【００４５】
電磁コイル８７は、環状に所定巻き数巻回されて樹脂でモールド成形されている。また、電磁コイル８７には、外部に引き出されるリード線などが接続され、このリード線などを介して通電を制御するコントローラ（不図示）に接続されている。この電磁コイル８７の周囲には、コア８９が配置されている。
【００４６】
コア８９は、電磁コイル８７への通電により磁界が形成されるように磁性材料から形成され、所定の磁路断面積を有している。また、コア８９は、電磁コイル８７の内外周面及び電磁コイル８７のデフケース３の壁部１９と反対側に位置する軸方向一側端面を覆っている。
【００４７】
このコア８９の外径側には、デフケース３の壁部１９から軸方向に延設された延設部３３が磁束が透過可能に設定された摺動接触面をもって覆うように配置されていると共に、延設部３３の軸方向端面によって電磁石２９の軸方向一側への位置決めがなされている。なお、コア８９の軸方向外側の端面は、デフケース３のボス部４５の外周に固定された規制部材９１によって軸方向他側への位置決めがなされている。このような電磁石２９の内径側には、可動部材８５が配置されている。
【００４８】
可動部材８５は、電磁石２９の内径側でデフケース３のボス部４５の外周に軸方向移動可能に配置され、環状のプランジャ９３と、リング部材９５とを備えている。プランジャ９３は、磁性材料から形成され、磁束が透過可能に設定された微小隙間であるエアギャップをもって電磁石２９の内径側に配置されている。このプランジャ９３の内周には、リング部材９５が一体に固定されている。
【００４９】
リング部材９５は、非磁性材料から形成され、プランジャ９３の内周側からデフケース３側へ磁束が漏れることを防止している。また、リング部材９５は、デフケース３のボス部４５の外周に軸方向移動可能に配置され、規制部材９１によって軸方向一側への移動規制がなされている。このリング部材９５には、デフケース３の壁部１９の軸方向孔２１内で、断続部材１３の凸部３５との軸方向の対向面に互いに当接する押圧部９７が設けられている。この押圧部９７は、電磁石２９によって作動される可動部材８５による軸方向の移動操作力を断続部材１３に伝達し、断続部材１３を断続部７７の接続方向に押圧操作する。
【００５０】
このような可動部材８５によって移動操作される断続部材１３の作動位置を検出することにより、断続部７７の状態を検出することができる。詳細には、断続部材１３は、可動部材８５によって断続部７７の接続位置と断続部７７の接続解除位置との間を軸方向移動されるので、断続部材１３の作動位置を検出することにより、断続部７７の状態を検出することができ、デファレンシャル装置１の状態を検出することができる。そこで、断続部材１３には、検出部材９９が断続部材１３と連動して移動するように固定されている。
【００５１】
検出部材９９は、外径側が円盤状に形成され、内径側が凸状板部で連続形成され断続部材１３の凸部３５の端面にネジなどの固定部材１０１を介して固定されている。このため、検出部材９９は、断続部材１３と一体的に軸方向移動される。この検出部材９９の外径側には、環状に形成された操作部１０３が設けられ、この操作部１０３側にはポジションスイッチ（不図示）が配置されている。
【００５２】
ポジションスイッチは、キャリアなどの静止系部材に固定され、例えば、検出部材９９の軸方向移動によってＯＮ−ＯＦＦ操作される接点部が検出部材９９の操作部１０３に当接されている。このポジションスイッチは、接点部の状態により、断続部材１３の作動位置を検出し、デファレンシャル装置１の状態を検出する。このようなポジションスイッチをＯＮ−ＯＦＦ操作する検出部材９９の中間部は、デフケース３の壁部１９に設けられた径方向孔２３内に軸方向移動可能に配置されている。
【００５３】
径方向孔２３は、デフケース３の壁部１９の外径側に周方向等間隔に複数（ここでは３つ）設けられている。この径方向孔２３は、デフケース３の壁部１９の外径側を径方向に貫通するように、内径側が軸方向孔２１に連通され、外径側がデフケース３の外部側に連通されている。このような径方向孔２３は、軸方向孔２１を介して隅Ｒ部１７に連通されている。
【００５４】
隅Ｒ部１７は、デフケース３の内部において、断続部材１３の外径側の近傍に位置する隅部を周方向にＲ加工することによって設けられている。なお、隅Ｒ部１７の曲率は、Ｒ5.0程度とすることが好ましい。この隅Ｒ部１７は、デフケース３の隅部における応力集中を緩和させ、デフケース３の強度低下を防止する。また、隅Ｒ部１７は、デフケース３の内部に流入される潤滑油の油溜まりとしても機能する。この油溜まりとなる隅Ｒ部１７は、軸方向孔２１と径方向孔２３とに連通されているので、デフケース３の内部や外部への潤滑油の循環が促進され、デファレンシャル装置１の潤滑性を向上することができる。
【００５５】
このように構成されたデファレンシャル装置１では、電磁石２９の励磁によりコア８９とプランジャ９３とデフケース３の壁部１９とを透過する磁束で形成される最短の磁束ループを有効に用いることによって、プランジャ９３が断続部材１３側に移動操作され、リング部材９５が押圧部９７を介して断続部材１３を押圧する。この可動部材８５による断続部材１３の押圧操作により、断続部材１３が付勢部材２５の付勢力に抗して断続部７７の接続方向に移動され、断続部７７が接続される。この断続部７７の接続により、サイドギヤ９と断続部材１３とが一体回転可能に接続され、サイドギヤ９とデフケース３とが接続されて差動機構１１がロック状態となる。
【００５６】
一方、断続部７７の接続解除では、電磁石２９への通電を停止することにより、断続部材１３が付勢部材２５の付勢力によって断続部７７の接続解除方向に移動され、断続部７７の接続が解除される。この断続部７７の接続解除により、サイドギヤ７と断続部材１３とが相対回転可能となり、サイドギヤ９とデフケース３とが相対回転可能となって差動機構１１のロック状態が解除される。
【００５７】
このようなデファレンシャル装置１では、断続部材１３の内径側がサイドギヤ９のボス部１５の外周に支持されているので、デフケース３に断続部材１３の支持面を形成させる必要がなく、デフケース３が大型化することがない。
【００５８】
また、デフケース３と断続部材１３の外径側との間は、断続部材１３の径方向支持に関与していないので、デフケース３の隅部に対する設計の自由度を向上でき、デフケース３の強度を確保することができる。
【００５９】
従って、このようなデファレンシャル装置１では、断続部材１３がサイドギヤ９のボス部１５の外周に径方向支持されているので、大型化を抑制しつつ、デフケース３の強度を確保することができる。
【００６０】
また、デフケース３は、断続部材１３の外径側の近傍に隅Ｒ部１７が設けられているので、デフケース３の隅部における応力集中を緩和でき、デフケース３の強度低下を防止することができる。加えて、隅Ｒ部１７を油溜まりとして機能させることができる。
【００６１】
さらに、隅Ｒ部１７は、軸方向孔２１を介して径方向孔２３に連通されているので、デフケース３の内部や外部への潤滑油の循環を促進でき、デファレンシャル装置１の潤滑性を向上することができる。
【００６２】
また、サイドギヤ９のボス部１５の外周には、断続部材１３を接続解除方向に付勢する付勢部材２５が支持されているので、付勢部材２５の支持を安定させることができ、断続部材１３の断続特性を安定化させることができる。加えて、付勢部材２５が断続部材１３の外径側に位置されることがなく、デフケース３と断続部材１３の外径側との間の設計に影響を与えることがない。
【００６３】
さらに、断続部材１３の外径側には、断続部材１３を補強する補強部２７が設けられているので、断続部材１３の強度を向上することができる。加えて、断続部材１３の外径側は、断続部材１３のセンタリングに関与していないので、補強部２７の設計の自由度を向上することができる。
【００６４】
また、デフケース３には、電磁石２９の外径側を覆い電磁石２９の軸方向位置を位置決めする延設部３３が設けられているので、電磁石２９が外径側に張り出すことがなく、デファレンシャル装置１の大型化を抑制できる。加えて、電磁石２９の軸方向位置が安定され、アクチュエータ３１の作動を安定化させることができる。
【００６５】
さらに、断続部材１３は、デフケース３と一体回転可能に係合される凸部３５と、この凸部３５から内径側に向けて傾斜する傾斜補強部３７とが設けられているので、回転方向に係合する凸部３５の強度を向上することができる。加えて、断続部材１３の強度を向上することができる。
【００６６】
なお、本発明の実施の形態に係るデファレンシャル装置では、デフケースの断続部材の外径側の近傍に隅Ｒ部を設けているが、これに限らず、デフケースの隅部を傾斜形状とする、或いはデフケースの隅部を厚肉とするなど、デフケースの強度を確保できる形態であれば、どのような形態であってもよい。
【００６７】
また、断続部材は、デフケースと一体回転可能に設けられているが、これに限らず、断続部材を一方の出力ギヤと一体回転可能に設け、デフケースと断続部材との間に断続部を設けてもよい。
【００６８】
さらに、アクチュエータは、電磁式アクチュエータとなっているが、これに限らず、油圧シリンダ・ピストン機構、モータ・ギヤ・カム機構、モータ・ギヤ・ネジ機構、モータ・シフトロッド機構、エアダイアフラムなど、種々のアクチュエータを利用可能である。
【符号の説明】
【００６９】
１…デファレンシャル装置
３…デフケース
５…ピニオン（差動ギヤ）
７，９…サイドギヤ（出力ギヤ）
１１…差動機構
１３…断続部材
１５…ボス部
１７…隅Ｒ部
１９…壁部
２１…軸方向孔
２３…径方向孔
２５…付勢部材
２７…補強部
２９…電磁石
３１…アクチュエータ
３３…延設部
３５…凸部
３７…傾斜補強部
【図１】
2014009747.tif 000003
【図２】
2014009747.tif 000004
【図３】
2014009747.tif 000005